(57)【要約】  テレビ（ＴＶ）コンテンツを遠隔装置と共有する方法が、ＴＶコンテンツを表す信号又はデータを受信するステップ（１００；１４０）を含む。ユーザコマンドに応答して、モバイル電話機（１０）は遠隔装置へ送信すべきＴＶコンテンツの一部を選択する。選択されたＴＶコンテンツを含むメッセージが作成されるか、あるいは別様にトリガされ、遠隔装置へ送信される（１１０；１６０）。モバイル電話機（１０）及び関連付けられたアプリケーションプログラム（３８）によって、ユーザは、モバイル電話機（１０）でＴＶを視聴しながらＴＶモーメントを容易に共有することが可能となる。
2009538079.tif 000002
【特許請求の範囲】
【請求項１】
ＴＶコンテンツを遠隔装置と共有する方法であって、
ＴＶコンテンツを表す信号又はデータを受信するステップ（１００；１４０）と、
ユーザコマンドに応答して、送信すべき前記ＴＶコンテンツの部分を選択するステップ（１０５；１５５）と、
前記遠隔装置へ送信すべきマルチメディアメッセージをトリガするステップ（１１０；１６０）と、
を有し、
前記マルチメディアメッセージは前記ＴＶコンテンツの前記選択された部分を含む
ことを特徴とする方法。
【請求項２】
前記トリガするステップは、前記ＴＶコンテンツの前記選択された部分を含むマルチメディアメッセージを作成するステップ（１１０；１６０）を含むことを特徴とする請求項１に記載の方法。
【請求項３】
前記トリガするステップ（１１０；１６０）は、前記ＴＶコンテンツの前記選択された部分を含むメッセージを送信するために、マルチメディア・メッセージング・サービス（ＭＭＳ）アプリケーションとインタフェースするステップを含むことを特徴とする請求項１又は２に記載の方法。
【請求項４】
前記マルチメディアメッセージはＭＭＳメッセージ又はｅメールメッセージであることを特徴とする請求項１乃至３のいずれか１項に記載の方法。
【請求項５】
前記ＴＶコンテンツの前記選択された部分は前記ＴＶコンテンツのスナップショットを含むことを特徴とする請求項１乃至４のいずれか１項に記載の方法。
【請求項６】
前記受信するステップ（１００；１４０）は、無線を介してＴＶ信号を受信するステップと、前記ＴＶ信号をＴＶビデオデータに変換するステップとを含むことを特徴とする請求項１乃至５のいずれか１項に記載の方法。
【請求項７】
前記受信するステップ（１００；１４０）は、ＴＶコンテンツを表すストリーミングビデオを受信するステップを含むことを特徴とする請求項１乃至６のいずれか１項に記載の方法。
【請求項８】
前記ＴＶコンテンツの前記選択された部分を記録するステップ（１５０）をさらに有することを特徴とする請求項１乃至７のいずれか１項に記載の方法。
【請求項９】
前記受信したＴＶコンテンツの最後のＸ分間を自動的に格納するステップをさらに有し、Ｘは所定値であることを特徴とする請求項１乃至８のいずれか１項に記載の方法。
【請求項１０】
前記マルチメディアメッセージはユーザにより視聴されるＴＶコンテンツの最後のＹ秒間を含み、Ｙは所定値であるか、ユーザが選択可能な値であることを特徴とする請求項９に記載の方法。
【請求項１１】
ＴＶコンテンツを表す信号又はデータを受信する受信機（６０、６２）と、
メモリ（３２）に格納されたプログラム（３８）と、
を備え、
前記プログラムは、遠隔装置へ送信すべきマルチメディアメッセージをトリガし（１１０；１６０）、
前記マルチメディアメッセージは前記ＴＶコンテンツのユーザが選択した部分を含む
ことを特徴とする携帯通信装置（１０）。
【請求項１２】
前記携帯通信装置はモバイル電話機であることを特徴とする請求項１１に記載の携帯通信装置（１０）。
【発明の詳細な説明】
【技術分野】
【０００１】
本発明は一般に、携帯通信装置に関し、特に、ＴＶコンテンツを遠隔装置と共有する携帯通信装置及び方法に関する。
【背景技術】
【０００２】
本願は２００６年５月１１日出願の米国仮出願番号第６０／７４７，０１１号の優先権を主張するものであり、該出願はその全体を引用することで本明細書に取り込まれている。
【０００３】
近年、モバイル電話機、パーソナル・デジタル・アシスタント、モバイル端末などのような携帯通信装置の人気が大きくなり続けている。携帯通信装置の人気が大きくなり続けるにつれて、モバイル電話機とネットワークとの改善が行われ、音声通信以上の機能とサービスが提供されると共に、今日の無線風景が急速に変化しつつある。無線産業はモバイルデータサービスの急速な拡大を経験しつつある。さらに、或るタイプの携帯通信装置に関連づけられる機能はますます多様化している。２、３の例を挙げると、多くの携帯通信装置は、カメラ、テキストメッセージ処理機能、インターネットブラウズ機能、電子メール機能、ビデオ再生機能、オーディオ再生機能、画像表示機能及びハンズフリーヘッドセット用インタフェースを有するようになっている。
【０００４】
最近、携帯通信装置のなかにはテレビ（ＴＶ）用アプリケーションを装備しているものもあり、ユーザは携帯通信装置によってＴＶコンテンツを受信して、携帯通信装置でＴＶコンテンツを視聴できるようになっている。
【発明の開示】
【発明が解決しようとする課題】
【０００５】
上記に鑑み、追加のモバイルデータサービスと機能性、並びに、ＴＶコンテンツを遠隔装置と共有するための追加のモバイルデータサービスと機能性とを提供する、携帯通信装置に関連するアプリケーションプログラムのようなアプリケーションプログラムを含む携帯通信装置に対する要望が存在する。
【課題を解決するための手段】
【０００６】
本発明の１つの態様はＴＶコンテンツを遠隔装置と共有する方法に関する。本方法は、ＴＶコンテンツを表す信号又はデータをユーザコマンドに応答して受信し、送信すべきＴＶコンテンツの一部を選択し、遠隔装置へ送信すべきマルチメディアメッセージをトリガするステップを備えている。但し、マルチメディアメッセージはＴＶコンテンツの選択部分を含むものとする。
【０００７】
別の態様によれば、上記トリガステップはＴＶコンテンツの選択部分を含むマルチメディアメッセージを作成するステップを含む。
【０００８】
別の態様によれば、上記トリガステップは、ＴＶコンテンツの選択部分を含むアプリケーションメッセージを送信するために、マルチメディア・メッセージング・サービス（ＭＭＳ）とインタフェースを行うステップを含む。
【０００９】
別の態様によれば、マルチメディアメッセージはＭＭＳメッセージ又はＴＶコンテンツのｅメールメッセージである。
【００１０】
別の態様によれば、上記選択部分はＴＶコンテンツのスナップショットを含む。
【００１１】
別の態様によれば、上記受信ステップは無線を介してＴＶ信号を受信し、次いで、ＴＶ信号をＴＶビデオデータに変換するステップを含む。
【００１２】
別の態様によれば、上記受信ステップはＴＶコンテンツを表すストリーミングビデオを受信するステップを含む。
【００１３】
別の態様によれば、本方法はＴＶコンテンツの選択部分を記録するステップをさらに備える。
【００１４】
別の態様によれば、遠隔装置へ送信すべきマルチメディアメッセージをトリガするステップはＴＶコンテンツの表示を中断するものではない。
【００１５】
別の態様によれば、本方法は、受信したＴＶコンテンツの最後のＸ分間を自動的に格納するステップをさらに備える。但し、Ｘは所定値である。
【００１６】
別の態様によれば、マルチメディアメッセージはユーザが視聴したＴＶコンテンツの最後のＹ秒間を含む。但し、Ｙは所定値又はユーザが選択可能な値である。
【００１７】
別の態様によれば、マルチメディアメッセージはＴＶコンテンツに関係する電子番組ガイド（ＥＰＧ）データを含む。
【００１８】
本発明の別の態様は、機械可読媒体に格納されたプログラムに関し、携帯通信装置での使用に適したこのプログラムは、携帯通信装置内のメモリにロードされ、実行されると、ＴＶコンテンツを表す信号又はデータを携帯通信装置に受信させるか、あるいは、ユーザコマンドに応答して遠隔装置へ送信すべきＴＶコンテンツの一部を選択させ、ＴＶコンテンツの選択部分を含むマルチメディアメッセージを送信させる。
【００１９】
別の態様によれば、マルチメディアメッセージはＭＭＳフォーマット済みのメッセージ又はｅメールメッセージである。
【００２０】
別の態様によれば、プログラムは、受信したＴＶコンテンツの最後のＸ分間を携帯通信装置に自動的に格納させる。但し、Ｘは所定値である。
【００２１】
別の態様によれば、プログラムは、ユーザが視聴したＴＶコンテンツの最後のＹ秒間を含むマルチメディアメッセージを携帯通信装置に送信させる。但し、Ｙは所定値又はユーザが選択可能な値である。
【００２２】
別の態様によれば、携帯通信装置はモバイル電話機である。
【００２３】
別の態様によれば、携帯通信装置は、メモリと、このメモリ内のアプリケーションプログラムを実行するプロセッサとを備え、該プロセッサは、ＴＶコンテンツを表す信号又はデータを携帯通信装置に受信させ、遠隔装置へ送信すべきＴＶコンテンツの一部をユーザコマンドに応答して選択させ、ＴＶコンテンツの選択部分を含むマルチメディアメッセージを送信させる。
【００２４】
本発明の別の態様は、ＴＶコンテンツを表す信号又はデータを受信する受信機を含む携帯通信装置と、メモリに格納されたプログラムとに関する。この場合、該プログラムは、マルチメディアメッセージを遠隔装置へ送信するようにトリガし、そして、マルチメディアメッセージはユーザが選択したＴＶコンテンツ部分を含む。
【００２５】
別の態様によれば、携帯通信装置はモバイル電話機である。
【００２６】
本発明のこれらの特徴並びにさらなる特徴は、以下の説明及び添付図面を参照するとき明らかになる。説明と図面において、本発明の原理を採用できる方法のうちのいくつかの方法を示す本発明の特定の実施形態が詳細に開示されているが、これに対応して本発明がこれらの実施形態に範囲が限定されるというわけではないことを理解されたい。逆に、本発明は、本明細書に添付の請求項の精神と文言に含まれるすべての変更、修正及び均等物を含むものである。
【００２７】
１つの実施形態に関して説明と例示の少なくともいずれかを行った特徴は、１以上の別の実施形態において、若しくは、その他の実施形態の特徴との組み合わせか、その他の実施形態の特徴の代わりかの少なくともいずれかの形で、同じ方法、もしくは、類似の方法で利用することが可能である。
【００２８】
本明細書で使用される場合、「備える／備えている（comprises/comprising）」という用語は、言及された特徴、整数、ステップ又は構成の存在を特定するために用いられるが、これら以外の特徴、整数、ステップ、構成、又はこれらのグループの存在又は追加を排除するものではない、という点を強調しておく。
【００２９】
以下の図面を参照しながら、本発明の多くの態様をより良く理解することが可能となる。図面の構成要素は必ずしも縮尺どおりであるとはかぎらない。むしろ本発明の原理を明瞭に例示することの方が強調されている。同様に、１つの図面に描かれている要素及び特徴は追加の図面に描かれている要素及び特徴と組み合わせることができる。さらに、図面において、同じ参照番号はいくつかの図を通して対応する要素を指すものとする。
【発明を実施するための最良の形態】
【００３０】
以下の詳細な説明において、本発明の様々な実施形態に示されているかどうかに関係なく、同じ構成要素には同じ参照番号が与えられる。明瞭かつ簡潔に本発明を例示するために、図面は必ずしも縮尺どおりである必要はなく、また、若干概略された形で或る種の特徴を示す場合がある。
【００３１】
本明細書で使用されているように、「携帯通信装置」という用語には携帯用無線通信機器が含まれる。「携帯用無線通信機器」という用語は、本例では以後、モバイル電話機、モバイル装置、モバイル無線端末又はモバイル端末と呼ばれる場合があるが、この用語には、モバイル電話機、ページャ、コミュニケータ、すなわち、電子手帳、スマートフォン、パーソナル・デジタル・アシスタント（ＰＤＡ）等を含むすべての電子機器が含まれる。但しこれらのみに限定されない。携帯通信装置に関連して本発明を解説しているが、本発明が携帯通信装置に限定されることを意図するものではないこと、及び、テレビ（ＴＶ）用アプリケーションに関連して用いられる任意の種類の電子機器に適用できることは理解できよう。
【００３２】
最初に図１を参照すると、通信システム１０が、モバイルセルラ電話ネットワークのようなモバイルネットワーク１２を含み、このモバイルネットワーク１２によって、モバイル電話機、モバイル端末等のような複数の携帯通信装置１４間での音声通信とデータ転送との少なくともいずれかのような通信が容易になる。通信システム１０及び、携帯通信装置１４のうちの少なくとも１つの携帯通信装置は、例えば、受信用の適当なハードウェアとアプリケーションプログラムの少なくともいずれかを含み、そして、ＴＶコンテンツを表す信号とデータとの少なくともいずれかを処理することによってＴＶ用アプリケーションをサポートする。本明細書に含まれる説明の便宜上、１以上の別の携帯通信装置又は別の或る遠隔装置を用いて、ＴＶコンテンツを共有するか、ＴＶコンテンツを別様に送信するという観点から携帯通信装置１４について説明する。
【００３３】
通信システム１０はネットワーク・インフラストラクチャ１８を含む。本発明の態様に関連して、上記ネットワーク・インフラストラクチャの一部は携帯通信装置によって使用されるか、別様にアクセスされる。最新型モバイル電話サービス（ＡＭＰＳ）、デジタル最新型モバイル電話サービス（Ｄ−ＡＭＰＳ）、汎用パケット無線サービス（ＧＰＲＳ）、汎用モバイル通信システム（ＵＭＴＳ）、モバイル通信用グローバルシステム（ＧＳＭ）、符号分割多元接続（ＣＤＭＡ）、ボイス・オーバＩＰ（ＶｏＩＰ）、セッション開始プロトコル（ＳＩＰ）、無線ローカルエリアネットワーク（ＷＬＡＮ）等を含む任意の好適な通信規格（但しこれらの通信規格のみに限定されない）に従って、携帯通信装置１４は、携帯通信装置相互とやりとりを行い、さらに、ネットワーク・インフラストラクチャの少なくともいずれかとやりとりを行うことができる。換言すれば、本発明の態様を説明するために本通信システムが図１に示されているが、これは、特定の通信システム設計、アーキテクチャ又は通信規格に本発明を限定するものではない。
【００３４】
ネットワーク・インフラストラクチャ１８は、一般に参照番号２０によって示される１以上のアプリケーションサーバと、メモリのような格納装置２２とを含み、この格納装置２２は、上記アプリケーションサーバ２０によって、アクセス可能なデータか、別様に使用可能なデータを格納する。図１に描かれているネットワーク・インフラストラクチャ１８には、例えば、ＴＶコンテンツを携帯通信装置１４へ提供するのに適したアプリケーションサーバなどのＴＶ用アプリケーションサーバ２４と、マルチメディア・メッセージング・サービス（ＭＭＳ）のフォーマットされたメッセージ（ＭＭＳメッセージとも単に呼ばれる）の交換に関連して用いられるマルチメディア・メッセージング・サービスセンタ（ＭＭＳＣ）２６と、が含まれている。ＴＶ用アプリケーションサーバが、地上デジタルビデオ放送（ＤＶＢ−Ｔ）、携帯機器向けデジタルビデオ放送（ＤＶＢ−Ｈ）、地上デジタルマルチメディア放送（Ｔ−ＤＭＢ）、テレビ向けデジタルマルチメディア放送（ＤＭＢ−Ｔ）、統合サービス地上デジタル放送（ＩＳＤＢ−Ｔ）、マルチメディア放送／マルチキャストサービス（ＭＢＭＳ）、３Ｇストリーミング、メディアＦＬＯ等を含む任意のＴＶネットワーク又はインフラ構造を含むことができることは理解できよう。但しこれらのみに限定されるわけではない。ＴＶ用アプリケーションサーバ２４及びＭＭＳＣ２６を含むアプリケーションサーバ２０は、通信システムにおいて種々の機能を果たすコンピュータサーバである。以下さらに詳細に説明するように、１以上の携帯通信装置１４が作動可能であり、この装置１４は、ユーザにより選択されたＴＶクリップを迅速に共有し、あるいはこのＴＶクリップを別様に遠隔装置へ迅速に送信する。
【００３５】
図２は本発明の態様に従う携帯通信装置１４の機能ブロック図を表す図である。携帯通信装置１４には携帯通信装置の動作を制御するプロセッサ３０が含まれる。プロセッサ３０は任意の市販のプロセッサ又はカスタムマイクロプロセッサであってもよい。メモリ３２は、携帯通信装置によって用いられる制御プログラム及びデータを格納するためにプロセッサ３０と動作可能に接続される。メモリ３２は、本発明の態様に従って携帯通信装置の機能を実現するために用いられるソフトウェアとデータとを含むメモリ装置の階層全体を表すものとする。
【００３６】
例示の実施形態では、メモリ３２に格納されるものとして、Ｉ／Ｏ装置ドライバなどのデバイスドライバ３４、ＴＶ用アプリケーション３６を含むアプリケーションプログラム、ＴＶ共有アプリケーション３８（ＴＶ共有プロセッサとも呼ばれる）、ＭＭＳメッセージ、電子メール等の交換を容易にするアプリケーションなどのメッセージング・アプリケーション４０、及び、時間シフトされたアクセス用のＴＶコンテンツの一部を格納することができる１以上のメモリバッファ４４が含まれているアプリケーションプログラムデータ４２がある。Ｉ／Ｏ装置ドライバは、ＴＶ共有アプリケーションプログラム３８を含むアプリケーションプログラムによって、プロセッサ３０を介して（又はメモリ３２に格納されたオペレーティングシステム（図示せず）によって）アクセスされるソフトウェアルーチンを含み、ディスプレイ４２及び他の入力／出力ポートのような装置との通信が図られる。
【００３７】
ＴＶ共有アプリケーションプログラム３８を含むアプリケーションプログラムは、電子メール、インターネットアクセス、コンタクトマネージャ等のような携帯通信装置１４の種々の機能を実行するプログラムを備える。以下さらに詳細に解説するように、ＴＶ共有アプリケーションプログラム３８は、ユーザにより選択されたＴＶクリップを別の携帯通信装置、遠隔コンピュータ等の遠隔装置などと迅速に共有するか、あるいは、このＴＶクリップを別様に迅速に送信するステップを容易にするプログラムを備えている。
【００３８】
コンピュータプログラミング、特にモバイル電話機用アプリケーションプログラミングの当業者には、ＴＶ共有アプリケーションプログラム３８（モバイル電話機に存在するＴＶ共有アプリケーションプログラム３８と、ＴＶ用アプリケーションプログラム３６及びメッセージング・アプリケーション・プログラム４０などの別のアプリケーションプログラム３６との間で行われる任意のインタフェース機能）に関して本明細書に記載の機能を作動させ、実行するようにモバイル電話機をプログラムする方法は、本明細書に記載の説明から自明のことに思われるであろう。したがって、具体的なプログラミングコードに関する詳細については簡潔さを旨として省略した。また、本発明の態様に従って、プロセッサと、メモリ３２内の（単独の、又は別のアプリケーションプログラムを伴う）プロセッサ３０とＴＶ共有アプリケーションプログラム３８とを介して、ＴＶ共有機能を実行しながら、本発明の範囲から逸脱することなく、専用ハードウェア、ファームウェア、ソフトウェア又はこれらの組み合わせを介して上記のような機能を実行することも可能である。
【００３９】
続いて図２を参照すると、プロセッサ３０は、ディスプレイ４６、ユーザインタフェース装置４８、送受信機５０（トランシーバと呼ばれることが多い）、及び、オーディオ処理回路などの音声プロセッサ５２のようなオーディオ処理回路とインタフェースされる。例示の実施形態では、ユーザインタフェース装置４８は、キーパッド５４を含むか、キーパッド５４と動作可能に結合される。ユーザインタフェース装置は、ユーザがモバイル電話機と相互に情報の交換を行うことを可能にする別のアクチュエータ又は入力装置を含むものであってもよいことは言うまでもない。例えば、キーパッド５４によって、ユーザは、番号をダイアルし、コマンドとデータとを入力し、オプションを選択することができるようになる。ディスプレイ４６によって、ユーザは、ダイアル番号、格納済みの情報、及びＴＶ用アプリケーションプログラム及びＴＶ共有アプリケーションプログラム３６と３８を含む各種のアプリケーションから得られる出力のような種々の情報を閲覧することが可能となる。
【００４０】
オプションとして、モバイル電話機には適当なアンテナ６２を含むＴＶ受信ユニット６０が含まれる。本実施形態では、ＴＶ受信ユニット６０及びアンテナ６２は無線送信されるＴＶ信号の受信を容易にする。ＴＶ受信ユニット６０は、単独で、又はＴＶ用アプリケーションプログラム３６と共に、無線送信されるＴＶ信号から適当なＴＶ画像信号を取り出す。（モバイル電話機はＴＶ受信ユニット６０及びアンテナ６２を含むものであってもよいし、そうでなくてもよい）別の実施形態では、モバイル電話機は、例えばＴＶ用アプリケーションサーバ２４（図１）を利用して、ストリームされるか、あるいは遠隔地から別様に送信されるＴＶコンテンツを表す信号データを受信することができる。
【００４１】
アンテナ６４は送信機／受信機５０に結合され、それによって送信機／受信機５０は、一般に行われているように、アンテナ６４を介して信号の送受信を行うようになる。携帯通信装置１４は、送信機／受信機４６により送信され、送信機／受信機４６から受信されるオーディオ信号（と、ＴＶ受信ユニット６０及びアンテナ６２によって受信される信号との少なくともいずれか）を処理する音声プロセッサ５２を含む。ユーザが携帯通信装置を介して聴き、通話することができるスピーカ６６及びマイク６８は音声プロセッサ５２に結合される。
【００４２】
説明を単純にするために、図３〜図５のフローチャート又は線図は、携帯通信装置１４の関連する動作の１以上の態様を表す一連のステップ又は機能ブロックを含むものとするが、本発明の態様に従って、いくつかのステップ又は機能ブロックが、本明細書で示し、説明した順序とは異なる順序で出現するか、別のステップ又は機能ブロックと同時に出現するかの少なくともいずれかの出現があり得るため、本発明の態様がステップ又は機能ブロックの順序に限定されるというわけではないことを理解されたい。さらに、示された機能ブロックのステップ又は態様のすべてが、必ずしも本発明の態様に基づく方法論を実現するために必要とされるわけではない。さらに、本発明の範囲から逸脱することなく、関連する処理の態様の追加ステップ又は機能ブロックを追加することが可能である。
【００４３】
次に図３を参照すると、例えば、ＴＶクリップ、ＴＶ番組の一部、ＴＶスナップショット等のＴＶコンテンツを共有する方法が機能ブロック１００において開始され、このブロックでモバイル電話機はＴＶデータを受信する。１つの実施形態では、ＴＶデータを受信するステップは、例えば、アンテナ６２と、ＴＶ受信ユニット６０（図２）とを用いて無線送信されるＴＶ信号の受信ステップを含む。モバイル電話機用ソフトウェア及びハードウェアは、適当なＴＶ画像信号を無線送信されるＴＶ信号から取り出すことができる。上記とは別に、ＴＶデータを受信するステップは、例えば、ＴＶ用アプリケーションサーバ２４又はＴＶネットワーク（図１）などの適当なコンテンツソースからビデオデータ信号を、ストリーミングビデオ法で、又は、時間シフト法で受信するステップを含むことができる。ユーザが、例えば、機能ブロック１０５においてＴＶ番組などのＴＶデータを受信することによって表示されるＴＶコンテンツを視聴するとき、モバイル電話機は、例えば、ユーザが視聴しているＴＶクリップやＴＶ番組の一部あるいは視聴しているテレビショーのスナップショットなどのＴＶモーメント（TV moment）の送信要求をユーザから受信することができる。ユーザは、ＴＶ共有プログラムによって提供される機能を開始するための専用の「ＴＶモーメント送信」ボタンを押すか、あるいは適当なソフトキーを押すようなモバイル電話機の適当なボタンを押すか、別様に適当なボタンを作動させることによって、モバイル電話機に信号又はコマンドを別様に送ることができる。
【００４４】
機能ブロック１１０において、ユーザにより選択されたＴＶモーメント又はＴＶクリップを含むメッセージが作成されるか、別様にトリガされる。１つの実施形態では、モバイル電話機は、ユーザにより選択されたＴＶモーメント、クリップ又はコンテンツを含むＭＭＳメッセージを作成するか、あるいは別様にこのＭＭＳメッセージのトリガを行う。上記とは別に、モバイル電話機は、ユーザにより選択されたＴＶクリップと共に、ｅメールメッセージのような別のタイプのマルチメディアメッセージを作成する。ＴＶ共有アプリケーションプログラム３８が、単独で、あるいは、モバイル電話機において、又はモバイル電話機の中へ別様にプログラムされたメッセージ・アプリケーションプログラムのような適当なメッセージ処理用アプリケーションと共に作動できることは理解できよう。
【００４５】
１つの実施形態では、ＴＶモーメント、ＴＶクリップ等の送信を求めるユーザコマンドを受信したとき、モバイル電話機は、ユーザが視聴した最後のＸ秒から構成されるＴＶモーメントを含む適当なマルチメディアメッセージを自動的に作成するか、あるいは、このマルチメディアメッセージを別様にトリガすることになる。１つの実施形態では、上記クリップは、例えば、最後の１０秒間、最後の２０秒間、最後の４０秒間などの所定の時間から構成される。上記とは別に、ＴＶモーメントの送信を求めるユーザコマンドを受信したとき、ＴＶ共有アプリケーションプログラムは、どのくらいの長さのＴＶクリップをマルチメディアメッセージによって送信すべきかについてプロンプトでユーザに入力を促すようにしてもよい。この問題に関するＴＶコンテンツの共有は達成が可能である。なぜなら、モバイル電話機は、例えば、ＴＶコンテンツの時間シフトと一致して、ＴＶコンテンツの最後のＹ分を通常バッファしているからである。モバイル電話機は、例えば、ユーザがモバイル電話機でＴＶを視聴し続けることができるようにしながら、所望のＴＶクリップを含むマルチメディアメッセージなどのメッセージを送信することも可能である。
【００４６】
ここで図４を参照すると、例えば、ＴＶクリップ、ＴＶ番組の一部等のＴＶコンテンツを共有する方法は、機能ブロック１２０から始まり、このブロックでモバイル電話機はＴＶデータを記録する。１つの実施形態では、記録されたＴＶデータは無線送信されるＴＶ信号から取り出された画像データに対応する。上記とは別に、ＴＶデータは、ＴＶ用アプリケーションサーバなどの適当なコンテンツソースによって提供されるストリーミング又は別のビデオデータ転送から記録される。機能ブロック１２５において、モバイル電話機はＴＶモーメントの取得要求をユーザから受信する。１つの実施形態では、ユーザは、以前記録したＴＶ番組を視聴しながらＴＶモーメント又はＴＶクリップの取得コマンドを出すことも可能である。上記とは別に、ユーザは、前に記録したＴＶクリップのメニューの提示を求めるコマンドをモバイル電話機へ送ることができる。機能ブロック１３０において、モバイル電話機は、例えば、所望のＴＶモーメント又はＴＶクリップを含む送信すべきマルチメディアメッセージなどの別様にトリガされたメッセージを作成する。図３を参照しながら上述したように、マルチメディアメッセージを作成するステップ、又は、マルチメディアメッセージを別様にトリガするステップはＭＭＳメッセージ、ｅメールメッセージ等を含むものであってもよい。
【００４７】
ここで図５を参照すると、ＴＶコンテンツを遠隔装置と共有する方法を示す例示の実施形態が提供される。この方法は機能ブロック１４０から始まり、ＴＶデータがモバイル電話機によって受信される。上述したように、ＴＶデータの受信ステップは、無線を介してＴＶ信号を受信し、無線で受信した信号からＴＶ画像データを取り出すステップを含むことができる。上記とは別に、ＴＶデータの受信ステップは、ストリーミング法でＴＶ用アプリケーションサーバなどのコンテンツソースから得られるビデオデータ信号を含むことができる。機能ブロック１４５において、ユーザは、受信したＴＶ番組又は該ＴＶ番組の一部を記録するオプションを有する。ユーザがＴＶ番組のうちの若干又はＴＶ番組全体の記録を望む場合、ユーザはＴＶ番組のメモリへの格納を求めるコマンドをモバイル電話機へ送ることができる（機能ブロック１５０）。ユーザがＴＶ番組の記録を望むか否かにかかわりなく、ユーザは、機能ブロック１５５においてＴＶクリップを送信するオプションを有する。このクリップは、受信されたときのＴＶデータに基づくものであってもよい。例えば、このＴＶデータの一部は適当なメモリバッファに格納されることになる。あるいは、上記クリップは、すでに記録済みであるか、又はメモリに別様に格納されたＴＶ番組であるか、このＴＶ番組の一部から得られたクリップであってもよい。ユーザがＴＶクリップの送信を望む場合、モバイル電話機は所望のＴＶクリップを含むマルチメディアメッセージなどのメッセージを作成するか、あるいはこのメッセージを別様にトリガすることになる（機能ブロック１６０）。上述したように、マルチメディアメッセージはＭＭＳフォーマット済みのメッセージ及びｅメールメッセージ等を含むものであってもよい。
【００４８】
ＴＶコンテンツの共有に関連して本発明について説明しているが、本願に記載の方法論が、受信済みか、あるいは予め記録済みのビデオコンテンツ、画像、オーディオコンテンツ、データファイル等を含む別のメディアコンテンツの共有ステップに対しても適用可能であることは理解できよう。但し、これらのみに限定されるわけではない。さらに、上述のように、ＴＶクリップと共にメッセージを作成するか、メッセージを別様にトリガするステップは、他の任意のアプリケーションプログラムのトリガ又はプロンプトステップを含むものであってもよい。上記アプリケーションプログラムとして、例えば、トリガされている特定のアプリケーションプログラムに関連づけられた機能に従って適当なアクションを行うために、モバイル電話機にロードされるか、モバイル電話機で別様に実行するメッセージ処理用アプリケーションプログラムなどがある。
【００４９】
１つの実施形態では、所望のＴＶクリップを含むマルチメディアメッセージなどのメッセージを別の情報又はデータと共に送信することができる。例えば、個々のマルチメディアメッセージは、マルチメディアメッセージの形で送信されるＴＶクリップに関する情報を含むものであってもよい。このような情報は、送信される番組からの情報又は送信される番組に対応する電子番組ガイド（ＥＰＧ）の一部を含むものであってもよい。適切なＥＰＧ情報は、番組のタイトル、番組が最初に放映されたときの同調周波数及び日付、送信される番組又は番組の一部についての簡単な説明等を含むことができる。
【００５０】
ユーザのＴＶ番組の視聴を中断することなく、ＴＶクリップを共有する機能を有するモバイル電話機が、追加の利便性及び改善されたモバイル電話機の機能性をユーザに提供するものであることは理解できよう。例えば、本明細書で説明する実施形態を決して限定するものではないが、「この番組チェックしたほうがいいわよ、今テレビでやってるから」というようなメッセージをつけてユーザは滑稽なクリップを自動的に友人へ送信したいと思うかもしれない。上記とは別に、ＴＶ番組を観ながらＴＶクリップを送信することによって、ユーザは、そのクリップがユーザの心にまだ新鮮なうちにＴＶクリップを共有することが可能となる。このＴＶ共有機能が、ユーザが友人に向かって「昨夜のあの素晴らしいドラマ観たかい？」と言わずに済むために有用なものであることは証明できよう。上記の質問をする代わりに、ユーザはＴＶクリップを共有して、「昨夜のあの素晴らしいドラマを入れてあげた君に送ったクリップ観たかい？」と言うことができる。
【００５１】
例示の実施形態に関して本明細書に記載した方法及び装置が本発明の範囲内にあると考えられる種々の別のアプリケーションにとって有用となることは当業者であれば理解するであろう。
【００５２】
当業者には理解できると思われるが、本発明のコンピュータプログラム要素と回路要素の少なくともいずれかの要素は、ハードウェアと、（ファームウェア、常駐ソフトウェア、マイクロコードなどを含む）ソフトウェアとの少なくともいずれかの形で具現化することができる。本発明は、命令実行システムによって又は命令実行システムと共に利用するために媒体に組み込まれた、コンピュータで使用可能な又はコンピュータで可読なプログラム命令、「コード」又は「コンピュータプログラム」を有する、コンピュータで使用可能な媒体又はコンピュータ可読媒体によって具現化することができるコンピュータプログラム製品の形をとり得る。本書の文脈において、コンピュータで使用可能な媒体又はコンピュータ可読媒体とは、命令実行システム、設備、又は装置により又はこれらと共に使用されるプログラムを含み、格納し、通信し、伝播し、又はトランスポートすることが可能な任意の媒体であってもよい。コンピュータで使用可能な媒体、又は、コンピュータ可読媒体は、たとえば、電子的、磁気的、光学的、電磁的、赤外線の、又は半導体のシステム、設備、装置、又はインターネットのような伝播媒体であってもよいが、これらに限定されるわけではない。なお、コンピュータで使用可能な媒体又はコンピュータ可読媒体は、プログラムが印刷された紙又は他の適切な媒体であってもよい。これは、例えば紙又は他の媒体を光走査し、その後コンパイル、変換又は適切な方法で処理を行ってプログラムを電子的に取り込むことが可能であるからである。ここに述べたコンピュータプログラム製品及び任意のソフトウェアやハードウェアは、例示の実施形態において本発明の機能を実行する種々の手段を形成するものである。
【００５３】
１つの発明の特定の諸実施例が本書に開示されている。当業者であれば、本発明が他の環境において別の用途を有することは直に認識できよう。実際、多くの実施形態及び実装構成が可能である。特許請求の範囲は、決して、本発明の範囲を前述の特定の実施例に限定することを意図したものではない。さらに、「〜のための手段」なる記載は構成要素および特許請求の範囲の「手段プラス機能」の表示を喚起するものであるが、「〜のための手段」なる記載を特に使用していない構成要素は、たとえ特許請求の範囲が「手段」なる用語を含む場合でも手段プラス機能要素として解釈すべきではない。
【００５４】
或る好適な（単複の）実施形態に関連して、本発明を示し、説明したが、本明細書及び付属図面を読み、理解するとき、均等な変更及び修正が他の当業者の心に浮かぶであろうことは明らかである。上記記載の要素（構成要素、アセンブリ、装置、組み合わせ等）により実行される特に種々の機能に関して、このような要素を記述するのに用いる用語（「手段」への言及を含む）は、別様に指示されていなければ、たとえ、本明細書に例示されている本発明の（単複の）例示的な実施形態において機能を実行する開示された構造と構造的に同等でなくても、記載された要素の指定された（機能的に均等な）機能を実行する任意の要素に対応することを意図するものである。さらに、複数の例示の実施形態のうちの１つの実施形態だけに関連して、本発明の特定の特徴について上述したかもしれないが、このような特徴は、所望のように、及び、所定の用途か、又は特別の用途かのいずれかにとって好都合となるように、その他の実施形態の１以上の別の特徴と組み合わせることも可能である。
【図面の簡単な説明】
【００５５】
【図１】本発明の態様を実施する携帯通信装置を含む通信システムの概略図である。
【図２】本発明の態様を実施する携帯通信装置の概略図である。
【図３】本発明の実施形態に従う携帯通信装置の関連性のある動作を表すフローチャート又は線図である。
【図４】本発明の実施形態に従う携帯通信装置の関連性のある動作を表すフローチャート又は線図である。
【図５】携帯通信装置の関連性のある動作を表すフローチャート又は線図である。
【図１】
2009538079.tif 000003
【図２】
2009538079.tif 000004
【図３】
2009538079.tif 000005
【図４】
2009538079.tif 000006
【図５】
2009538079.tif 000007
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
ＴＶコンテンツを遠隔装置と共有する方法であって、
ＴＶコンテンツを表す信号又はデータを受信するステップ（１００；１４０）と、
受信した前記信号又はデータを携帯通信装置のバッファ（４４）に格納するステップと、
ユーザコマンドに応答して、送信すべき前記ＴＶコンテンツの部分を選択するステップ（１０５；１５５）と、
前記ＴＶコンテンツの選択された部分を表す前記信号又はデータを前記バッファから取得するステップと、
前記遠隔装置へ送信すべきマルチメディアメッセージをトリガするステップ（１１０；１６０）と、
を有し、
前記部分はユーザにより視聴されるＴＶコンテンツの最後のＹ秒間に対応し、Ｙは所定値であるか、ユーザが選択可能な値であり、
前記マルチメディアメッセージは前記ＴＶコンテンツの前記選択された部分を含む
ことを特徴とする方法。
【請求項２】
前記トリガするステップは、前記ＴＶコンテンツの前記選択された部分を含むマルチメディアメッセージを作成するステップ（１１０；１６０）を含むことを特徴とする請求項１に記載の方法。
【請求項３】
前記トリガするステップ（１１０；１６０）は、前記ＴＶコンテンツの前記選択された部分を含むメッセージを送信するために、マルチメディア・メッセージング・サービス（ＭＭＳ）アプリケーションとインタフェースするステップを含むことを特徴とする請求項１又は２に記載の方法。
【請求項４】
前記マルチメディアメッセージはＭＭＳメッセージ又はｅメールメッセージであることを特徴とする請求項１乃至３のいずれか１項に記載の方法。
【請求項５】
前記ＴＶコンテンツの前記選択された部分は前記ＴＶコンテンツのスナップショットを含むことを特徴とする請求項１乃至４のいずれか１項に記載の方法。
【請求項６】
前記受信するステップ（１００；１４０）は、無線を介してＴＶ信号を受信するステップと、前記ＴＶ信号をＴＶビデオデータに変換するステップとを含むことを特徴とする請求項１乃至５のいずれか１項に記載の方法。
【請求項７】
前記受信するステップ（１００；１４０）は、ＴＶコンテンツを表すストリーミングビデオを受信するステップを含むことを特徴とする請求項１乃至６のいずれか１項に記載の方法。
【請求項８】
前記ＴＶコンテンツの前記選択された部分を記録するステップ（１５０）をさらに有することを特徴とする請求項１乃至７のいずれか１項に記載の方法。
【請求項９】
前記受信したＴＶコンテンツの最後のＸ分間を自動的に格納するステップをさらに有し、Ｘは所定値であることを特徴とする請求項１乃至８のいずれか１項に記載の方法。
【請求項１０】
携帯通信装置であって、
ＴＶコンテンツを表す信号又はデータを受信する受信機（６０、６２）と、
信号又はデータを格納するバッファ（４４）と、
メモリ（３２）に格納されたプログラム（３８）と、
を備え、
前記プログラムは、実行された場合、前記携帯通信装置に、前記信号又はデータの選択された部分を前記バッファから取得させるとともに、遠隔装置へ送信すべきマルチメディアメッセージをトリガさせ（１１０；１６０）、
前記マルチメディアメッセージは、ユーザにより視聴される前記ＴＶコンテンツの最後のＹ秒間に対応するＴＶコンテンツのユーザが選択した部分を含み、
Ｙは所定値であるか、ユーザが選択可能な値である
ことを特徴とする携帯通信装置（１０）。
【請求項１１】
前記携帯通信装置はモバイル電話機であることを特徴とする請求項１０に記載の携帯通信装置（１０）。
【国際調査報告】
2009538079.tif 000008
2009538079.tif 000009